(57)【要約】      （修正有）【課題】ピッキングや、サムタ−ン回しによる解錠の出来ない盗難防止用錠装置を提供する。【解決手段】本発明は、玄関扉の外側には鍵穴はなく、玄関扉の右側あるいは左側にはハンドルだけが取り付けてあり、この玄関扉に盗難防止用錠を取り付ける。錠装置を構成するには歯車機構と超小型モ−タ−及び永久磁石を用いている盗難防止用錠を玄関扉の室外と室内のアルミニウム板の枠内に装荷すればよい。歯車機構と、長方形磁石及びセグメント磁石を組み合わせた装置と永久磁石を利用しているので、簡単な回路構成で出来て、最も安全な盗難防止用錠の装置となる。【選択図】図３
2006052623.tif 000002
【特許請求の範囲】
【請求項１】
図３に示すように、ラッチボルト（１）とストライク（２）及びラッチボルトを支える容器（３）、
該ストライク（２）の中へラッチボルト（１）を挿入する時に、ラッチボルト（１）の側面にある長さのラック（４）を止め、ネジで固定した。ストライク（２）の中からラッチボルト（１）を抽出する時、ラッチボルト（１）の側面に取り付けてあるラック（４）が往復直線運動するには、ラック（４）と噛み合う相手のピニオン歯車（５）が時計方向あるいは反時計方向に回転すればよい。
このような動作を自動的にするために、図３ｂに示すように、２段歯車機構（７）のＡ歯車の車軸に、ピニオン歯車（５）を結合し、Ｃの歯車の車軸に、結合器（７ａ）を介して超小型モ−タ−（６）を結合した。
ピニオン歯車（５）を時計方向或いは反時計方向に回転すれば、ラッチボルト（１）は挿入と抽出を繰り返す。ラッチボルト（１）の挿入と抽出を繰り返すようにするには、超小型モ−タ−に供給する直流電源の電圧（１２）の＋極性と−極性を切り換える必要がある。
ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続し、端子２′と端子３も接続した。直流電圧の＋極性を端子２に接続し、−極性を端子２′に接続した。端子１と端子１′を端子２と端子２′に切り替えると、端子１の直流電圧は＋極性になり、端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転させ、ヒンジ・レバ−（８ｄ）も下へ下がれば、スイッチは抽出回路へ接続する。自動的に２個のヒンジ・レバ−（８ｃと８ｄ）が下へ下げる方法を次に説明する。
図３ａと図６ａに示すように、円形永久磁石（９ｂ）のヨ−クの下に、ヒンジ・レバ−形双極双投基本スイッチ（８ｃ）と、ヒンジ・レバ−形スイッチ（８ｄ）のレバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。
円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部が挿入してあるので、２個のレバ−は下に下がると、ラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で円形永久磁石（９ｂ）と（９ａ）は同じ真鍮の円柱棒に固定してあるので、室外アルミニウム板の表面に近づき、同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れ、ヒンジ・レバ−形スイッチ（８ｄ）の端子１から端子２へと流れる。そして電流はヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると回転する。この回転で２段歯車機構（７）が作動し、ピニオン歯車（５）も回転する。ピニオン歯車（５）が回転すると、ラック（４）は往復直線運動をして、ストライク（２）の中へラッチ・ボルトが挿入する。ラッチ・ボルト（１）が所定の位置に停止するように、ラッチ・ボルトの終端の側面に傾斜を付けた金属にヒンジ・ロ−ラ・レバ−形スイッチ（８ａ）のヒンジ・ロ−ラ・レバ−が接触する。ヒンジ・ロ−ラ・レバ−が下に押されて、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）は玄関扉の室外アルミニウム板の表面に引き寄せられ、円形永久磁石（９ｂ）もヒンジ・レバ−も同じ方向に移動する。
ヒンジ・レバ−形双極双投基本スイッチ（８ｃ）のヒンジ・レバ−は下に押される。端子１と端子３は短絡し、端子１′と端子３′も短絡する。直流電圧（１２）の＋極性と−極性が入れ変わる。一方、ヒンジ・レバ−形スイッチ（８ｄ）のヒンジ・レバ−も下に押される。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れる。この電流はヒンジ・レバ−形双極双投基本スイッチ（８ｃ）の端子１の方向に流れて、一巡する。
超小型モ−タ−（６）に逆方向の電流が流れと逆回転する。２段歯車機構の歯車も逆方向に作動し、ピニオン歯車（５）を介してラックも往復直線運動して、ラッチ・ボルト（１）が抽出する。抽出する時ラッチ・ボルト（１）が所定の位置に停止するように、ラッチ・ボルトの終端にヒンジ・ロ−ラ・レバ−形スイッチ（８ｂ）のヒンジ・ロ−ラ・レバ−に接触する。ヒンジ・ロ−ラ・レバ−が下に押されて、スイッチ（８ｂ）の端子１と端子２はＯＦＦとなる。スイッチ（８ｂ）がＯＦＦになると、超小型モ−タ−（６）の回転が止まり、ラッチ・ボルト（１）は所定の位置に停止する。この時玄関扉は開く。
外部永久磁石（角形或いは円形永久磁石）を円形永久磁石（９ａ）に近づけたり、遠ざけたりすると、ストライク（２）の中にラッチ・ボルト（１）が挿入と抽出を繰り返し、玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線がアルミニウム板を透磁して、円形永久磁石（９ａ）の間に異極間が生じる。異極間に吸引力が働くと、玄関扉は簡単に開けられ家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置を用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧は＋極性と−極性が交互に変化するので（電気磁石の磁極はＮ極とＳ極が交互に変わる）騒音が出やすい。騒音を無くすには、交流電圧を直流電圧に変換して使用すればよい。コイルを巻く関係から電気磁石を用いると、装置が大きくなり、又停電した時には、蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には、現在、市販されている永久磁石を用いた。図３に示すように、超小形モ−タ−と２段歯車機構及び２個のヒンジ・ロ−ラ・レバ−形スイッチ（８ａと８ｂ）と、２個のヒンジ・レバ−形双極双投基本スイッチ（８ｃと８ｄ）を利用しているので、簡単な回路構成で出来る最も安全な盗難防止用鍵の装置。
【請求項２】
図４に示すように、ラッチボルト（１）とストライク（２）及びラッチボルトを支える容器（３）、
該ストライク（２）の中へラッチボルト（１）を挿入する時に、ラッチボルト（１）の広い面にある長さのラック（４ａ）を止めネジで固定した。ストライク（２）の中からラッチボルト（１）を抽出する時、ラッチボルト（１）の広い面に取り付けてあるラック（４ａ）が往復直線運動するには、ラック（４ａ）と噛み合う相手の焼結平歯車（１１）が時計方向あるいは反時計方向に回転すればよい。
このような動作を自動的にするために、図４に示すように、ウォ−ム・ホイ−ル（１０ａ）の上に焼結平歯車（１１）を置き、２段重ねしてウォ−ム・ホイ−ル（１０ａ）と同じ軸にネジ止めした。図４に示すように、ウォ−ム・ホイ−ル（１０ａ）を回転させるために超小型モ−タ−（６）の軸にウォ−ム（１０）をネジ止めした。
超小型モ−タ−が回転すると、ウォ−ムも回転して、ウォ−ム・ホイ−ル（１０ａ）と焼結平歯車は同時に回転する。焼結平歯車（１１）が回転する事によって、ラック（４ａ）は往復直線運動をする。
焼結平歯車（１１）を時計方向或いは反時計方向に回転すれば、ラッチボルト（１）を挿入と抽出を繰り返す。この操作を自動的にする方法を詳細に述べる。
超小型モ−タ−に供給する直流電源の電圧（１２）の＋極性と−極性を入れ替える必要がある。ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続した。端子２′と端子３も接続した。直流電圧の＋極性を端子２に接続し、−極性を端子２′に接続した。端子１と端子１′を端子２と端子２′に切り替えると、端子１に直流電圧の＋極性になり、端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続する。もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）が下へ下げる方法を次に説明する。
図３ａと図６ａに示すように、円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。この吸引力で円形永久磁石（９ａ）は室外アルミニウム板の表面に近づくと、円形永久磁石（９ｂ）も同じ方向に動く。円形永久磁石（９ｂ）のヨ−クの下にヒンジ・レバ−形双極双投基本スイッチ（８ｃ）とヒンジ・レバ−形スイッチ（８ｄ）のヒンジ・レバ−の一部が挿入してあるため、２個のヒンジ・レバ−は下に下がるとラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で、円形永久磁石（９ｂ）と（９ａ）は同じ真鍮の円柱棒に固定してあるので、室外アルミニウム板の表面に近づき同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下にヒンジ・レバ−形双極双投基本スイッチ（８ｃ）とヒンジ・レバ−形スイッチ（８ｄ）のヒンジ・レバ−の一部を挿入してあるので、２個のヒンジレバ−は上に上がる。
ヒンジ・レバ−形双極双投基本スイッチ（８ｃ）の端子１とｌ′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そしてヒンジ・ロ−ラ・レバ−形スイッチ（８ａ）の端子１から端子２へ流れ、端子２からヒンジ・レバ−形双極双投基本スイッチ（８ｃ）の端子１′に電流は流れて一巡する。
超小型モ−タ−（６）に電流が流れると回転する。この回転はウォ−ム（１０）作動しウォ−ム・ホイ−ル（１０ａ）が回転する。ウォ−ム・ホイ−ル（１０ａ）の上に置いた焼結平歯車（１１）も同時に回転すると、ラック（４ａ）は往復直線運動をしてストライク（２）の中へラッチ・ボルトが挿入する。ラッチ・ボルト（１）が所定の位置に停止するように、ラッチ・ボルトの終端の側面に傾斜を付けた金属にヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時玄関扉は閉まる。
次に、ストライク（２）の中からラッチ・ボルトを抽出する場合を詳細に説明する。
玄関扉の室外アルミニウム板の表面から、外部磁石（角形或いは円形永久磁石）の磁極面の磁極をＮ極とし、円形永久磁石（９ａ）の磁極面の磁極をＳ極に近づけると、吸引力が働く。この吸引力の作用で、円形永久磁石（９ａ）は玄関扉の室外アルミニウム板の表面に引き寄せられて、円形永久磁石（９ｂ）もヒンジ・レバ−も同じ方向に移動する。
ヒンジ・レバ−形双極双投基本スイッチ（８ｃ）のヒンジ・レバ−は下に下がると、端子１と端子３は短絡し、端子１′と端子３′も短絡すると、直流電圧（１２）の＋極性と−極性が入れ変わる。一方、ヒンジ・レバ−形スイッチ（８ｄ）のヒンジ・レバ−も下へ下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向の電流が流れと逆回転する。ウォ−ム（１０）も逆方向に作動する。ウォ−ム・ホイル（１０ａ）と２段重ねしてある焼結平歯車（１１）が回転すると、ラック（４ａ）も往復直線運動をして、ラッチ・ボルト（１）が抽出する。抽出する時、ラッチ・ボルト（１）が所定の位置に停止するように、ラッチ・ボルト（１）の終端にヒンジ・ロ−ラ・レバ−形スイッチ（８ｂ）を置いた。ラッチ・ボルト（１）の終端にヒンジ・ロ−ラ・レバ−が接触すると、ヒンジ・ロ−ラ・レバ−が押されてスイッチ（８ｂ）の端子１と端子２はＯＦＦとなる。スイッチ（８ｂ）がＯＦＦになると、超小型モ−タ−（６）の回転が止まり、ラッチ・ボルト（１）は所定の位置に停止する。この時玄関扉は開く。
外部永久磁石（角形或いは円形永久磁石）を円形永久磁石（９ａ）に近づけたり、遠ざけたりすると、ストライク（２）の中へラッチ・ボルト（１）が挿入と抽出を繰り返して玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるため、図６ｂに示すように、円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧の＋極性と−極性が交互に変化するので（電気磁石の磁極はＮ極とＳ極が交互に変わる）騒音が出やすい。騒音を無くすには、交流電圧を直流電圧に変換して使用すればよい。コイルを巻く関係から電気磁石を用いると、装置が大きくなり、又停電した時には蓄電池に切り替える装置が不可欠であり、費用もかなり高くなる欠点がある。
現在、市販されている角形或いは円形永久磁石は小型で色々の種類のものがあって、磁力もかなり強い。停電しても心配ないし、価額もかなり安いと言う利点がある。
以上の利点から、安全な盗難防止用鍵の装置には現在市販されている永久磁石を用いた。
図４に示すように、超小形モ−タ−とウォ−ムギヤおよび２個のヒンジ・ロ−ラ・レバ−形スイッチ（８ａと８ｂ）と、２個のヒンジ・レバ−形双極双投基本スイッチ（８ｃと８ｄ）を用いた安全な盗難防止用鍵の装置。
【請求項３】
図５に示すように、ラッチボルト（１）とストライク（２）及びラッチボルトを支える容器（３）、
該ストライク（２）の中へラッチボルト（１）を挿入する時に、ラッチボルト（１）のの終端に長方形永久磁石（１３）を固定した。図５に示すように、円筒の容器（１５）の内側に２極セグメント磁石（１４）を２個対称に配置する。円筒の容器（１５）の中心の軸方向に、長方形永久磁石（１３）を挿入した。円筒の容器（１５）が時計方向或いは反時計方向に回転出来るように、歯数の多い焼結平歯車（１６）の平たい面に円筒の容器（１５）をネジで固定した。歯数の多い焼結平歯車（１６）を支える軸受け（１７）を設けた。
歯数の多い焼結平歯車（１６）を回転させるために、ピニオン歯車（５）を超小型モ−タ−（６）の軸に固定した。超小型モ−タ−（６）が回転すると、ピニオン歯車（５）も回転し、連動して歯数の多い焼結平歯車（１６）が回転する。円筒の容器（１５）の中に対称に配置した２極セグメント磁石（１４）を２個同時に回転させる。それは長方形永久磁石（１３）のまわりを２個の２極セグメント磁石（１４）が３６０°回転する事になる。回転角度によって、長方形永久磁石（１３）の磁極面の磁極Ｎ極或いはＳ極と２個の２極セグメント磁石（１４）の内側の磁極面の磁極Ｎ極あるいはＳ極が同極同士又は異極間になる。同極同士又は異極間になると、長方形永久磁石（１３）と２個の２極セグメント磁石（１４）の間で、反発力と吸引力が働く。
ストライク（２）の中から、ラッチボルト（１）が抽出又は挿入する状態を詳細に説明する。
超小型モ−タ−の回転に伴って、歯数の多い焼結平歯車（１６）の広い面に取り付けた円筒の容器（１５）が回転すると、２個の２極セグメント磁石（１４）のうち、１個の２極セグメント磁石（１４）の磁極面の磁極がＮ極と長方形永久磁石（１３）の広い面の磁極面の磁極のＮ極と向かい合い、一方の２極セグメント磁石（１４）の磁極面の磁極がＳ極と長方形永久磁石（１３）の広い面の磁極面の磁極がＳ極と向かい合うと、同極同士となり、反発力が働く。この反発作用で長方形永久磁石（１３）は円筒の容器（１５）から飛び出す。長方形永久磁石（１３）はラッチボルトの終端に固定してあるので、ストライク（１）の中へラッチボルトが挿入する。この時玄関扉は閉まる。
さらに、円筒の容器（１５）が回転すると、２極セグメント磁石（１４）の磁極面の磁極のＮ極と、長方形永久磁石（１３）の広い面の磁極面のＳ極とが向かい合う。一方、セグメント磁石（１４）の磁極面のＳ極と、長方形永久磁石（１３）の広い面の磁極面の磁極がＮ極と向かい合うと、異極間には吸引力が働く。この吸引力で長方形永久磁石（１３）は円筒の容器（１５）の中へ吸引されストライク（１）の中からラッチボルトを抽出する。この時玄関扉が開く。
歯数の多い焼結平歯車（１６）の広い面に取り付けた円筒の容器（１５）が時計方向或いは反時計方向に回転すれば、ラッチボルト（１）の挿入と抽出を繰り返す。そのためには、超小型モ−タ−に供給する直流電源の電圧（１２）の＋極性と−極性を交互に切り換える必要がある。直流電源の電圧（１２）の＋極性と−極性を交互に切り換える方法を説明する。
ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続し、端子２′と端子３を接続した。直流電圧の＋極性を端子２に接続し、−極性を端子２′に接続した。端子１と端子１′を端子２と端子２′に切り換えると、端子１は直流電圧の＋極性になり、端子１′は直流電圧の−極性になる。端子１と端子１′を端子３と端子３′に切り換えると、端子１は直流電圧の−極性になり、端子１′は直流電圧の＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３からヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）を下へ下げる方法を次に説明する。
図３ａと図６ａに示すように、円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。円形永久磁石（９ｂ）のヨ−クの下に、ヒンジ・レバ−形双極双投基本スイッチ（８ｃ）とヒンジ・レバ−形スイッチ（８ｄ）のレバ−の一部が挿入してあるので、２個のレバ−は下に下がるとラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で円形永久磁石（９ｂ）と（９ａ）は同じ真鍮の円柱棒に固定してあるので、室外アルミニウム板の表面に近づき、同じ動作をする。
ストライク（２）の中へラッチ・ボルト（１）が挿入する動作を詳細に説明する。
玄関扉の室外アルミニウム板の表面に沿って動かす外部永久磁石を円形永久磁石（９ｂ）から離れている時、円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り換わり、端子１の直流電圧の極性は＋になり、端子１′は−極性になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そして電流はヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると、モ−タ−（６）の軸取り付けたピニオン歯車（５）も回転する。この回転に伴って、歯数の多い焼結平歯車（１６）の広い面に取り付けた円筒の容器（１５）が回転する。２個の２極セグメント磁石（１４）のうち１個の２極セグメント磁石（１４）の磁極面の磁極がＮ極と、長方形永久磁石（１３）の広い面の磁極面の磁極のＮ極と向かい合い、一方の２極セグメント磁石（１４）の磁極面の磁極がＳ極と、長方形永久磁石（１３）の広い面の磁極面の磁極がＳ極と向かい合うと、同極同士となり反発力が働く。長方形永久磁石（１３）が円筒の容器（１５）の内部に装荷してある２個の２極セグメント磁石から、急速に外方向に向かって動く。長方形永久磁石（１３）はラッチボルト（１）の終端に固定してあるので、ストライク（２）の中へラッチボルト（１）が挿入する。ラッチ・ボルト（１）が所定の位置に停止するように、ラッチ・ボルトの終端に取り付けた金属に、ヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時、玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）が玄関扉の室外アルミニウム板の表面に引き寄せられると、円形永久磁石（９ｂ）もヒンジ・レバ−も同じ方向に移動する。
ヒンジ・レバ−形双極双投基本スイッチ（８ｃ）のヒンジ・レバ−は下へ下がると、端子１と端子３は短絡し、端子１′と端子３′も短絡すると、直流電圧（１２）の＋極性と−極性が入れ変わる。一方、ヒンジ・レバ−形スイッチ（８ｄ）のヒンジ・レバ−も下へ下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′から、スイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向に電流が流れると、モ−タ−（６）の軸に取り付けたピニオン歯車（５）も逆回転する。このピニオン歯車（５）の回転に伴って、歯数の多い焼結平歯車（１６）の広い面に取り付けた円筒の容器（１５）が回転すると、２極セグメント磁石（１４）の内側の磁極面の磁極がＮ極と、長方形永久磁石（１３）の広い面の磁極面の磁極がＳ極と向かい合い、一方の２極セグメント磁石（１４）の内側の磁極面の磁極がＳ極と、長方形永久磁石（１３）の広い面の磁極面の磁極がＮ極と向かい合うと、異極間には吸引力が働く。図６ｃに示すように、長方形永久磁石（１３）は円筒の容器の中に装荷した２個の２極セグメント磁石の中に吸引する。ラッチボルト（１）の終端に長方形永久磁石（１３）が固定してある。長方形永久磁石（１３）は２個の２極セグメント磁石（１４）の内側に吸引する。この吸引力でストライク（２）の中からラッチボルト（１）が抽出する。
ラッチ・ボルト（１）が所定の位置に停止するように、ラッチ・ボルトの終端に取り付けた金属に、ヒンジ・ロ−ラ・レバ−形スイッチ（８ａ）のヒンジ・ロ−ラ・レバ−が接触すると、ヒンジ・ロ−ラ・レバ−が押される。スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時玄関扉は閉まる。
外部永久磁石（角形或いは円形永久磁石）を円形永久磁石（９ａ）に近づけたり、遠ざけたりすると、ストライク（２）の中にラッチ・ボルト（１）の挿入と抽出を繰り返し玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極あるいは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧＋極性と−極性が交互に変化するので（電気磁石の磁極はＮ極とＳ極が交互に変わる）騒音が出やすい。騒音をなくすには、交流電圧を直流電圧に変換して使用しなければならない。コイルを巻く関係から、電気磁石を用いると装置が大きくなり、又停電した時には、蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には、現在、市販されている永久磁石を用いた。
図５に示すように、超小形モ−タ−と円筒の容器の中に挿入した２個の２極セグメント磁石および長方形永久磁石そして２個のヒンジ・ロ−ラ・レバ−形スイッチ（８ａと８ｂ）と２個のヒンジ・レバ−形双極双投基本スイッチ（８ｃと８ｄ）を利用しているので、簡単な回路構成で出来る最も安全な盗難防止用鍵の装置。
【発明の詳細な説明】
【技術分野】
【０００１】  本発明は、図２に示すように、玄関扉に鍵穴はなく、扉の室外にはハンドルだけがある。玄関扉の室外と室内の枠内に安全な盗難防止用鍵を装荷し、永久磁石を用いて室外から玄関扉を開閉できる盗難防止用鍵に関するものである。
【背景技術】
【０００２】  従来から、図１に示すように、シリンダが取り付けられ、更に補助鍵が取り付けられてある。鍵穴に鍵を挿入して開錠し、玄関扉を開閉する最も代表的な鍵が採用されている。【０００３】  現在、主流となっている玄関扉の鍵については、図１に示す。現在、騒がれているピッキングと玄関扉の外側の一部に電動ドリルで穴をあけて細い針金を挿入してサムタ−ン回しをするか、あるいは郵便受けから腕を入れて鍵を１０分以内で開錠する方法、そのほか、鍵のにぎりを壊して玄関扉を開けて侵入する場合が非常に多い。
【発明の開示】
【発明が解決しようとする課題】
【０００４】  従って、本発明は３種類の安全な盗難防止用鍵を開発した。最初の安全な盗難防止用鍵の装置を図３に示す。２番目の安全な盗難防止用鍵の装置を図４に示す。３番目の安全な盗難防止用鍵の装置を図５に示す。
３種類の鍵のうち、最初の鍵は２段歯車機構と超小型モ−タ−及び２個のヒンジ・ロ−ラ・レバ−形スイッチ（８ａと８ｂ）と、２個のヒンジ・レバ−形双極双投基本スイッチ（８ｃと８ｄ）を利用し、円形又は角形永久磁石を用いた安全な盗難防止用鍵を考案した。
２番目の鍵はウォ−ムギヤと超小型モ−タ−及び２個のヒンジ・ロ−ラ・レバ−形スイッチ（８ａと８ｂ）と２個のヒンジ・レバ−形双極双投基本スイッチ（８ｃと８ｄ）を利用し、円形又は角形永久磁石を用いた安全な盗難防止用鍵を考案した。
３番目の鍵は円筒の容器の中に装荷した２個の２極セグメント磁石と長方形永久磁石をを組み合わせた装置と、超小型モ−タ−及び２個のヒンジ・ロ−ラ・レバ−形スイッチ（８ａと８ｂ）と、２個のヒンジ・レバ−形双極双投基本スイッチ（８ｃと８ｄ）を利用し、円形又は角形永久磁石を用いた安全な盗難防止用鍵を考案した。
これら３種類の安全な盗難防止用鍵には玄関扉の室外表面には鍵穴は無く、玄関扉の右側あるいは左側にハンドルだけが取り付けてある。
使用する家人が３種類の安全な盗難防止用鍵の装置のうち１つを選択して、玄関扉の室外と室内のアルミニウム板の枠内に装荷する。玄関扉の室外アルミニウム板の表面に沿って外部磁石を円形永久磁石（９ａ）に近づけて、吸引力を利用して直流電源（１２）の２個のヒンジ・レバ−形双極双投基本スイッチ（８ｃと８ｄ）をＯＮにして、玄関扉を開ける。
永久磁石を丸形多極或いは角形多極にすれば、暗証番号と同じで、永久磁石の磁極数がわからないと、簡単に玄関扉を開ける事は出来ない。賊の侵入を防ぐ安全な盗難防止用鍵を実現することを目的とする。
【課題を解決しようとする手段】
【０００５】  上記の目的を達成するために、本発明に拘わる最初の鍵穴のない玄関扉に取り付ける安全な２段歯車機構と、超小型モ−タ−及び永久磁石を用いた盗難防止用鍵の構造を図３に示す。固定した玄関扉に取り付けたストライク（２）の中へラッチボルト（１）を挿入する時に、玄関扉は鍵が掛かった状態になる。玄関扉を強く引いても、ラッチボルト（１）が強度に十分耐えられるように容器（３）で支えた。
ストライク（２）の中へラッチボルト（１）を挿入する時の動作について詳細に述べる。ラッチボルト（１）の側面にある長さのラック（４）を止め、ネジで固定した。ストライク（２）の中からラッチボルト（１）を抽出する時、ラッチボルト（１）の側面に取り付けてあるラック（４）が往復直線運動するには、ラック（４）と噛み合う相手のピニオン歯車（５）が時計方向あるいは反時計方向に回転すればよい。
このような動作を自動的にするために、図３ｂに示すように、２段歯車機構（７）のＡ歯車の車軸に、ピニオン歯車（５）を結合し、Ｃの歯車の車軸に、結合器（７ａ）を介して超小型モ−タ−（６）を結合した。
ピニオン歯車（５）を時計方向或いは反時計方向に回転すれば、ラッチボルト（１）は挿入と抽出を繰り返す。このような状態にするには、超小型モ−タ−に供給する直流電源の電圧（１２）の＋極性と−極性を切り換える必要がある。
ヒンジ・レバ−形双極双投基本スイッチ（８ｃ）を用いて、図７に示す回路系になるように、回路接続をした。ヒンジ・レバ−形双極双投基本スイッチ（８ｃ）の端子２と端子３′を接続し、端子２′と端子３も接続した。直流電圧の＋極性を端子２に接続し、−極性を端子２′に接続した。端子１と端子１′を端子２と端子２′に切り替えると、端子１の直流電圧は＋極性になり、端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転させ、ヒンジ・レバ−（８ｄ）も下へ下がれば、スイッチは抽出回路へ接続する。自動的に２個のヒンジ・レバ−（８ｃと８ｄ）が下へ下がる方法を説明する。
図３ａと図６ａに示すように、円形永久磁石（９ｂ）のヨ−クの下に、ヒンジ・レバ−形双極双投基本スイッチ（８ｃ）と、ヒンジ・レバ−形スイッチ（８ｄ）のレバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。
円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部が挿入してあるので、２個のレバ−は下に下がると、ラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で円形永久磁石（９ｂ）と（９ａ）は同じ真鍮の円柱棒に固定してあるので、室外アルミニウム板の表面に近づき、同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れ、ヒンジ・レバ−形スイッチ（８ｄ）の端子１から端子２へと流れる。そして電流はヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると回転する。この回転で２段歯車機構（７）を作動し、ピニオン歯車（５）も回転する。ピニオン歯車（５）が回転すると、ラック（４）は往復直線運動をして、ストライク（２）の中へラッチ・ボルトが挿入する。ラッチ・ボルト（１）が所定の位置に停止するように、ラッチ・ボルトの終端の側面に傾斜を付けた金属にヒンジ・ロ−ラ・レバ−形スイッチ（８ａ）のヒンジ・ロ−ラ・レバ−が接触する。ヒンジ・ロ−ラ・レバ−が下に押されて、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）は玄関扉の室外アルミニウム板の表面に引き寄せられ、円形永久磁石（９ｂ）もヒンジ・レバ−も同じ方向に移動する。
ヒンジ・レバ−形双極双投基本スイッチ（８ｃ）のヒンジ・レバ−は下に押される。端子１と端子３は短絡し、端子１′と端子３′も短絡する。直流電圧（１２）の＋極性と−極性が入れ変わる。一方、ヒンジ・レバ−形スイッチ（８ｄ）のヒンジ・レバ−も下に押される。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れる。この電流はヒンジ・レバ−形双極双投基本スイッチ（８ｃ）の端子１の方向に流れて、一巡する。
超小型モ−タ−（６）に逆方向の電流が流れと逆回転する。２段歯車機構の歯車も逆方向に作動し、ピニオン歯車（５）を介してラックも往復直線運動して、ラッチ・ボルト（１）が抽出する。抽出する時ラッチ・ボルト（１）が所定の位置に停止するように、ラッチ・ボルトの終端にヒンジ・ロ−ラ・レバ−形スイッチ（８ｂ）のヒンジ・ロ−ラ・レバ−に接触する。ヒンジ・ロ−ラ・レバ−が下に押されて、スイッチ（８ｂ）の端子１と端子２はＯＦＦとなる。スイッチ（８ｂ）がＯＦＦになると、超小型モ−タ−（６）の回転が止まり、ラッチ・ボルト（１）は所定の位置に停止する。この時、玄関扉は開く。
外部永久磁石（角形或いは円形永久磁石）を円形永久磁石（９ａ）に近づけたり、遠ざけたりすると、ストライク（２）の中にラッチ・ボルト（１）が挿入と抽出を繰り返し玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線がアルミニウム板を透磁して、円形永久磁石（９ａ）の間に異極間が生じる。異極間に吸引力が働くと、玄関扉は簡単に開けられ家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極あるいは角形多極にすれば、暗証番号と同じで、簡単に玄関扉は開かない。
安全な盗難防止用鍵の装置を用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧は＋極性と−極性が交互に変化するので（電気磁石の磁極はＮ極とＳ極が交互に変わる）騒音が出やすい。騒音を無くすには、交流電圧を直流電圧に変換して使用すればよい。コイルを巻く関係から、電気磁石を用いると、装置が大きくなり、又停電した時には、蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には、現在、市販されている永久磁石を用いた。  図３に示すように、超小形モ−タ−と２段歯車機構及び２個のヒンジ・ロ−ラ・レバ−形スイッチ（８ａと８ｂ）と２個のヒンジ・レバ−形双極双投基本スイッチ（８ｃと８ｄ）を利用しているので、簡単な回路構成で出来るし、最も安全な盗難防止用鍵の装置を備えている。
【０００６】  さらに、本発明では、２番目の鍵穴の無い玄関扉に取り付ける最も安全なウォ−ムギヤと超小型モ−タ−及び永久磁石そして２個のヒンジ・ロ−ラ・レバ−形スイッチ（８ａと８ｂ）と２個のヒンジ・レバ−形双極双投基本スイッチ（８ｃと８ｄ）を用いた盗難防止用鍵の構造を図４に示す。固定した玄関扉に取り付けたストライク（２）の中へラッチボルト（１）を挿入した時に、玄関扉は鍵が掛かった状態になる。玄関扉を強く引いても、ラッチボルト（１）が強度に十分耐えられるように容器（３）で支えた。
ストライク（２）の中へラッチボルト（１）が挿入する時の動作について詳細に述べる。
ラッチボルト（１）の広い面にある長さのラック（４ａ）を止めネジで固定した。ストライク（２）の中からラッチボルト（１）を抽出する時、ラッチボルト（１）の広い面に取り付けてあるラック（４ａ）が往復直線運動をするには、ラック（４ａ）と噛み合う相手の焼結平歯車（１１）が時計方向あるいは反時計方向に回転すればよい。
このような動作を自動的にするために、図４に示すように、ウォ−ム・ホイ−ル（１０ａ）の上に焼結平歯車（１１）を置き、２段重ねにしてウォ−ム・ホイ−ル（１０ａ）と同じ軸にネジ止めした。図４に示すように、ウォ−ム・ホイ−ル（１０ａ）を回転させるために超小型モ−タ−（６）の軸にウォ−ム（１０）をネジ止めした。
超小型モ−タ−が回転すると、ウォ−ムも回転して、ウォ−ム・ホイ−ル（１０ａ）と焼結平歯車は同時に回転する。焼結平歯車（１１）が回転する事によって、ラック（４ａ）は往復直線運動をする。
焼結平歯車（１１）を時計方向或いは反時計方向に回転させれば、ラッチボルト（１）が挿入と抽出を繰り返す。この操作を自動的にする方法を以下に詳細に述べる。
超小型モ−タ−に供給する直流電源の電圧（１２）の＋極性と−極性を入れ替える必要がある。ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続した。端子２′と端子３も接続した。直流電圧の＋極性を端子２に接続し、−極性を端子２′に接続した。端子１と端子１′を端子２と端子２′に切り替えると、端子１の直流電圧は＋極性になる。端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続する。もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）を下へ下げる方法を次に説明する。
図３ａと図６ａに示すように、円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。この吸引力で円形永久磁石（９ａ）は室外アルミニウム板の表面に近づくと、円形永久磁石（９ｂ）も同じ方向に動く。円形永久磁石（９ｂ）のヨ−クの下にヒンジ・レバ−形双極双投基本スイッチ（８ｃ）とヒンジ・レバ−形スイッチ（８ｄ）のヒンジ・レバ−の一部が挿入してあるため、２個のヒンジ・レバ−は下に下がるとラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で、円形永久磁石（９ｂ）と（９ａ）は同じ真鍮の円柱棒に固定してあるので、室外アルミニウム板の表面に近づき同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下にヒンジ・レバ−形双極双投基本スイッチ（８ｃ）とヒンジ・レバ−形スイッチ（８ｄ）のヒンジ・レバ−の一部が挿入してあるので、２個のヒンジレバ−は上に上がる。
ヒンジ・レバ−形双極双投基本スイッチ（８ｃ）の端子１と１′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そしてヒンジ・ロ−ラ・レバ−形スイッチ（８ａ）の端子１から端子２へ流れ、端子２からヒンジ・レバ−形双極双投基本スイッチ（８ｃ）の端子１′に電流は流れて一巡する。
超小型モ−タ−（６）の軸にウォ−ム（１０）を取り付けた。モ−タ−（６）に電流が流れるとウォ−ム（１０）が回転し、ウォ−ム・ホイ−ル（１０ａ）も回転する。ウォ−ム・ホイ−ル（１０ａ）の上に置いた焼結平歯車（１１）も同時に回転すると、ラック（４ａ）は往復直線運動をしてストライク（２）の中へラッチ・ボルトが挿入する。ラッチ・ボルト（１）が所定の位置に停止するよう、にラッチ・ボルトの終端の側面に傾斜を付けた金属にヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時玄関扉は閉まる。
次に、ストライク（２）の中からラッチ・ボルトを抽出する場合を詳細に説明する。
玄関扉の室外アルミニウム板の表面から、外部磁石（角形或いは円形永久磁石）の磁極面の磁極をＮ極とし、円形永久磁石（９ａ）の磁極面の磁極をＳ極に近づけると、吸引力が働く。この吸引力の作用で、円形永久磁石（９ａ）は玄関扉の室外アルミニウム板の表面に引き寄せられると、円形永久磁石（９ｂ）もヒンジ・レバ−も同じ方向に移動する。
ヒンジ・レバ−形双極双投基本スイッチ（８ｃ）のヒンジ・レバ−は下に下がると端子１と端子３は短絡し、端子１′と端子３′も短絡して、直流電圧（１２）の＋極性と−極性が入れ変わる。一方、ヒンジ・レバ−形スイッチ（８ｄ）のヒンジ・レバ−も下に下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向の電流が流れると、ウォ−ム（１０）も逆回転する。ウォ−ム・ホイル（１０ａ）と２段重ねにしてある焼結平歯車（１１）が逆回転すると、ラック（４ａ）も往復直線運動をしてラッチ・ボルト（１）が抽出する。抽出する時、ラッチ・ボルト（１）が所定の位置に停止するように、ラッチ・ボルト（１）の終端にヒンジ・ロ−ラ・レバ−形スイッチ（８ｂ）を置いた。ラッチ・ボルト（１）の終端にヒンジ・ロ−ラ・レバ−が接触すると、ヒンジ・ロ−ラ・レバ−が押されて、スイッチ（８ｂ）の端子１と端子２はＯＦＦとなる。スイッチ（８ｂ）がＯＦＦになると、超小型モ−タ−（６）の回転が止まり、ラッチ・ボルト（１）は所定の位置に停止する。この時玄関扉は開く。
外部永久磁石（角形或いは円形永久磁石）を円形永久磁石（９ａ）に近づけたり、遠ざけたりすると、ストライク（２）の中へラッチ・ボルト（１）が挿入と抽出を繰り返して玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるため、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧の＋極性と−極性が交互に変化するので（電気磁石の磁極はＮ極とＳ極が交互に変わる）騒音が出やすい。騒音をなくすには、交流電圧を直流電圧に変換して使用すれはよい。コイルを巻く関係から、電気磁石を用いると、装置が大きくなり、停電した時には、蓄電池に切り替える装置が不可欠であり、費用もかなり高くなる欠点がある。
現在、市販されている角形或いは円形永久磁石は小型で色々の種類のものがあって、磁力もかなり強い。停電しても心配ないし、価額もかなり安いと言う利点がある。
以上の利点から、安全な盗難防止用鍵の装置には、現在、市販されている永久磁石を用いた。
図４に示すように、超小形モ−タ−とウォ−ムギヤおよび２個のヒンジ・ロ−ラ・レバ−形スイッチ（８ａと８ｂ）と２個のヒンジ・レバ−形双極双投基本スイッチ（８ｃと８ｄ）を用いた安全な盗難防止用鍵の装置を備えている。
【０００７】  さらに、本発明では、３番目の鍵穴のない玄関扉に取り付ける最も安全な円筒の容器（１５）の内側に、２極セグメント磁石（１４）を２個対称に配置し、円筒の容器（１５）の中心の軸方向に、長方形永久磁石（１３）を挿入した装置と、超小型モ−タ−及び永久磁石そして２個のヒンジ・ロ−ラ・レバ−形スイッチ（８ａと８ｂ）と２個のヒンジ・レバ−形双極双投基本スイッチ（８ｃと８ｄ）を用いた盗難防止用鍵の構造を図５に示す。固定した玄関扉に取り付けたストライク（２）の中へ、ラッチボルト（１）を挿入した時に、玄関扉は鍵が掛かった状態になる。玄関扉を強く引いても、ラッチボルト（１）が強度に十分耐えられるように容器（３）で支えた。
ストライク（２）の中へラッチボルト（１）を挿入する時の動作について詳細に述べる。
ラッチボルト（１）のの終端に長方形永久磁石（１３）を固定した。図５に示すように、円筒の容器（１５）の内側に２極セグメント磁石（１４）を２個対称に配置する。円筒の容器（１５）の中心の軸方向に、長方形永久磁石（１３）を挿入した。円筒の容器（１５）が時計方向或いは反時計方向に回転出来るように、歯数の多い焼結平歯車（１６）の平たい面に、円筒の容器（１５）をネジで固定した。歯数の多い焼結平歯車（１６）を支える軸受け（１７）を設けた。
歯数の多い焼結平歯車（１６）を回転させるために、ピニオン歯車（５）を超小型モ−タ−（６）の軸に固定した。超小型モ−タ−（６）が回転すると、ピニオン歯車（５）も回転し、連動して、歯数の多い焼結平歯車（１６）が回転する。円筒の容器（１５）の中に対称に配置した２極セグメント磁石（１４）を２個同時に回転させる。それは長方形永久磁石（１３）のまわりを２個の２極セグメント磁石（１４）が３６０°回転する事になる。回転角度によって、長方形永久磁石（１３）の磁極面の磁極Ｎ極或いはＳ極と２個の２極セグメント磁石（１４）の内側の磁極面の磁極Ｎ極あるいはＳ極が同極同士又は異極間になる。同極同士又は異極間になると、長方形永久磁石（１３）と２個の２極セグメント磁石（１４）の間で、反発力と吸引力が働く。
ストライク（２）の中から、ラッチボルト（１）が抽出又は挿入する状態を詳細に説明する。
超小型モ−タ−の回転に伴って、歯数の多い焼結平歯車（１６）の広い面に取り付けた円筒の容器（１５）が回転すると、２個の２極セグメント磁石（１４）の内１個の２極セグメント磁石（１４）の磁極面の磁極がＮ極と長方形永久磁石（１３）の広い面の磁極面の磁極のＮ極と向かい合い、一方の２極セグメント磁石（１４）の磁極面の磁極がＳ極と長方形永久磁石（１３）の広い面の磁極面の磁極がＳ極と向かい合うと、同極同士となり反発力が働く。この反発作用で長方形永久磁石（１３）は円筒の容器（１５）から飛び出す。長方形永久磁石（１３）はラッチボルトの終端に固定してあるので、ストライク（１）の中へラッチボルトが挿入する。この時、玄関扉は閉まる。
さらに、円筒の容器（１５）を回転すると、２極セグメント磁石（１４）の磁極面の磁極のＮ極と長方形永久磁石（１３）の広い面の磁極面のＳ極と向かい合う。一方、セグメント磁石（１４）の磁極面のＳ極と長方形永久磁石（１３）の広い面の磁極面の磁極がＮ極と向かい合うと、異極間には吸引力が働く。この吸引力で長方形永久磁石（１３）は円筒の容器（１５）の中へ吸引される。この吸引力でストライク（１）の中からラッチボルトを抽出する。この時玄関扉が開く。
歯数の多い焼結平歯車（１６）の広い面に取り付けた円筒の容器（１５）が時計方向或いは反時計方向に回転すれは、ラッチボルト（１）の挿入と抽出を繰り返す。そのためには、超小型モ−タ−に供給する直流電源の電圧（１２）の＋極性と−極性を交互に切り換える必要がある。直流電源の電圧（１２）の＋極性と−極性を交互に切り換える方法を説明する。
ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続し、端子２′と端子３を接続した。直流電圧の＋極性を端子２に接続し、−極性を端子２′に接続した。端子１と端子１′を、端子２と端子２′に切り換えると、端子１に直流電圧の＋極性になり、端子１′の直流電圧は−極性になる。端子１と端子１′を端子３と端子３′に切り換えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）が下へ下げる方法を次に説明する。
図３ａと図６ａに示すように、円形永久磁石（９ｂ）のヨ−クの下に、ヒンジ・レバ−形双極双投基本スイッチ（８ｃ）と、ヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は下に下がると、ラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で円形永久磁石（９ｂ）と（９ａ）は同じ真鍮の円柱棒に固定してあるので、室外アルミニウム板の表面に近づき、同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り換わり、端子１の直流電圧の極性は＋になり、端子１′は−極性になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そしてヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると、モ−タ−（６）の軸に取り付けたピニオン歯車（５）も回転する。この回転に伴って、歯数の多い焼結平歯車（１６）の広い面に取り付けた円筒の容器（１５）が回転する。２個の２極セグメント磁石（１４）のうち１個の２極セグメント磁石（１４）の磁極面の磁極がＮ極と、長方形永久磁石（１３）の広い面の磁極面の磁極のＮ極と向かい合い、一方の２極セグメント磁石（１４）の磁極面の磁極がＳ極と長方形永久磁石（１３）の広い面の磁極面の磁極がＳ極と向かい合うと、同極同士となり、反発力が働く。長方形永久磁石（１３）が円筒の容器（１５）の内部に装荷してある２個の２極セグメント磁石から急速に外方向に向かって動く。長方形永久磁石（１３）はラッチボルト（１）の終端に固定してあるので、ストライク（２）の中へラッチボルト（１）が挿入する。ラッチ・ボルト（１）が所定の位置に停止するように、ラッチ・ボルトの終端に取り付けた金属にヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時、玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）が玄関扉の室外アルミニウム板の表面に引き寄せられると、円形永久磁石（９ｂ）もヒンジ・レバ−も同じ方向に移動する。
ヒンジ・レバ−形双極双投基本スイッチ（８ｃ）のヒンジ・レバ−は下へ下がると端子１と端子３は短絡し、端子１′と端子３′も短絡して、直流電圧（１２）の＋極性と−極性が入れ変わる。一方、ヒンジ・レバ−形スイッチ（８ｄ）のヒンジ・レバ−も下へ下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向に電流が流れると、モ−タ−（６）の軸に取り付けたピニオン歯車（５）も逆回転する。このピニオン歯車（５）の回転に伴って、歯数の多い焼結平歯車（１６）の広い面に取り付けた円筒の容器（１５）が回転すると、２個の２極セグメント磁石（１４）のうち１個の磁極面の磁極がＮ極と、長方形永久磁石（１３）の広い面の磁極面の磁極がＳ極と向かい合う、もう一方の２極セグメント磁石（１４）の磁極面の磁極がＳ極と長方形永久磁石（１３）の広い面の磁極面の磁極がＮ極と向かい合うと異極間になり、異極間には吸引力が働く。図５に示すように、長方形永久磁石（１３）は円筒の容器の中に、装荷した２個の２極セグメント磁石の中に吸引される。ラッチボルト（１）の終端に長方形永久磁石（１３）が固定してある。長方形永久磁石（１３）は２個の２極セグメント磁石（１４）の内側に吸引する。この吸引力でストライク（２）の中からラッチボルト（１）が抽出する。
ラッチ・ボルト（１）が所定の位置に停止するように、ラッチ・ボルトの終端に取り付けた金属に、ヒンジ・ロ−ラ・レバ−形スイッチ（８ａ）のヒンジ・ロ−ラ・レバ−が接触すると、ヒンジ・ロ−ラ・レバ−が押される。スイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時、玄関扉は閉まる。
外部永久磁石（角形或いは円形永久磁石）を円形永久磁石（９ａ）に近づけたり、遠ざけたりすると、ストライク（２）の中にラッチ・ボルト（１）の挿入と抽出を繰り返し、玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧＋極性と−極性が交互に変化するので（電気磁石の磁極はＮ極とＳ極が交互に変わる）騒音が出やすい。騒音をなくすには、交流電圧を直流電圧に変換して使用しなければならない。コイルを巻く関係から、電気磁石を用いると装置が大きくなり、又停電した時には蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には、現在、市販されている永久磁石を用いた。
図５に示すように、超小形モ−タ−と円筒の容器の中に挿入した２個の２極セグメント磁石および長方形永久磁石そして２個のヒンジ・ロ−ラ・レバ−形スイッチ（８ａと８ｂ）と２個のヒンジ・レバ−形双極双投基本スイッチ（８ｃと８ｄ）を利用しているので、簡単な回路構成で出来る最も安全な盗難防止用鍵の装置を備えている。
【発明の効果】
【０００８】  本発明の３種類の最も安全な盗難防止用鍵の装置は歯車機構と超小型モ−タ−そして永久磁石（９ａ）には丸形多極及び角形多極の磁石を利用しており、図６ａに示す装置（図３と図４及び図５を参照）の円形永久磁石（９ｂ）のヨ−クの下に、２個のヒンジ・レバ−形双極双投基本スイッチ（８ｃと８ｄ）のヒンジ・レバ−の一部が挿入してある。この装置は２個のヒンジ・レバ−形双極双投基本スイッチ（８ｃと８ｄ）に接続する線を伸ばすだけであるので、玄関扉の室外と室内の枠内の自由な位置に取り付ける事ができる。
この盗難防止用鍵の装置を用いれば、玄関扉の外側に鍵穴は不要である。もし、永久磁石を用いて鍵を開ける事が分かっても、図６ａの装置の配置した場所が分からないし、図６ａに示す円形永久磁石（９ａ）及び玄関扉の室外アルミニウム板の表面に沿って動かす角形又は円形永久磁石を丸形多極あるいは角形多極を用いれば、磁石の磁極数が分からない限り、簡単に玄関扉を開かない利点がある。
【発明を実施するための最良の形態】
【０００９】  次に、本発明の実施の形態を述べると、この３種類の歯車機構と丸形多極あるいは角形多極の磁石及び２極セグメント磁石そして超小型モ−タ−を用いた最も安全な盗難防止用鍵を実現した。
【実施例１】
【００１０】  本発明の最初の装置の実施の形態・詳細な構造を図３を用いて説明する。
図３に示すように、玄関扉の固定した扉に取り付けたストライク（２）の中へラッチボルト（１）を挿入した時に、玄関扉の鍵が掛かった状態になる。玄関扉を強く引いても、ラッチボルト（１）は強度に十分耐えられる容器（３）で支えた。
ストライク（２）の中へラッチボルト（１）を挿入する状態を述べる。
図３に示すように、ラッチボルト（１）の側面にある長さのラック（４）を止め、ネジで固定した。ストライク（２）の中からラッチボルト（１）を抽出する時、ラッチボルト（１）の側面に取り付けてあるラック（４）が往復直線運動をするには、ラック（４）と噛み合う相手のピニオン歯車（５）が時計方向あるいは反時計方向に回転すればよい。
このような動作を自動的にするために、図３ｂに示すように、２段歯車機構（７）のＡ歯車の車軸に、ピニオン歯車（５）を結合し、Ｃの歯車の車軸に、結合器（７ａ）を介して超小型モ−タ−（６）を結合した。
ピニオン歯車（５）を時計方向或いは反時計方向に回転すれば、ラッチボルト（１）は挿入と抽出を繰り返す。そのためには超小型モ−タ−に供給する直流電源の電圧（１２）の＋極性と−極性を切り換える必要がある。
ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続し、端子２′と端子３も接続した。直流電圧の＋極性を端子２に接続し、−極性を端子２′に接続した。端子１と端子１′を端子２と端子２′に切り替えると、端子１の直流電圧は＋極性になり、端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転させ、ヒンジ・レバ−（８ｄ）も下へ下がれば、スイッチは抽出回路へ接続する。自動的に２個のヒンジ・レバ−（８ｃと８ｄ）が下へ下げる方法を次に説明する。
図３ａと図６ａに示すように、円形永久磁石（９ｂ）のヨ−クの下に、ヒンジ・レバ−形双極双投基本スイッチ（８ｃ）とヒンジ・レバ−形スイッチ（８ｄ）のレバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。円形永久磁石（９ｂ）のヨ−クの下に、ヒンジ・レバ−形双極双投基本スイッチ（８ｃ）と、ヒンジ・レバ−形スイッチ（８ｄ）のヒンジ・レバ−の一部が挿入してあるので、２個のレバ−は下に下がると、ラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で円形永久磁石（９ｂ）と（９ａ）は同じ真鍮の円柱棒に固定してあるので、室外アルミニウム板の表面に近づき、同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下に、ヒンジ・レバ−形双極双投基本スイッチ（８ｃ）と、ヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れ、ヒンジ・レバ−形スイッチ（８ｄ）の端子１から端子２へと流れる。そして電流はヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると回転する。この回転で２段歯車機構（７）が作動し、ピニオン歯車（５）も回転する。ピニオン歯車（５）が回転すると、ラック（４）は往復直線運動をして、ストライク（２）の中へラッチ・ボルトが挿入する。ラッチ・ボルト（１）が所定の位置に停止するように、ラッチ・ボルトの終端の側面に、傾斜を付けた金属にヒンジ・ロ−ラ・レバ−形スイッチ（８ａ）のヒンジ・ロ−ラ・レバ−が接触する。ヒンジ・ロ−ラ・レバ−が下に押されてスイッチ（８ａ）の端子１と端子２はＯＦＦとなる。スイッチ（８ａ）がＯＦＦになると、超小型モ−タ−（６）の回転が止まり、ラッチ・ボルト（１）は所定の位置に停止する。この時、玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）は玄関扉の室外アルミニウム板の表面に引き寄せられ、円形永久磁石（９ｂ）もヒンジ・レバ−も同じ方向に移動する。
ヒンジ・レバ−形双極双投基本スイッチ（８ｃ）のヒンジ・レバ−は下に押される。端子１と端子３は短絡し、端子１′と端子３′も短絡する。直流電圧（１２）の＋極性と−極性が入れ変わる。一方、ヒンジ・レバ−形スイッチ（８ｄ）のヒンジ・レバ−も下に押される。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れる。この電流はヒンジ・レバ−形双極双投基本スイッチ（８ｃ）の端子１の方向に流れて、一巡する。
超小型モ−タ−（６）に逆方向の電流が流れと逆回転する。２段歯車機構の歯車も逆方向に作動し、ピニオン歯車（５）を介してラックも往復直線運動をして、ラッチ・ボルト（１）が抽出する。抽出する時、ラッチ・ボルト（１）が所定の位置に停止し、直流電圧が切れる状態にしないと、超小型モ−タ−（６）の回転は止まらない。ラッチ・ボルト（１）の終端にヒンジ・ロ−ラ・レバ−形スイッチを置くと、ラッチ・ボルト（１）がヒンジ・ロ−ラ・レバ−に接触する。ヒンジ・ロ−ラ・レバ−が下に押されて、スイッチ（８ｂ）の端子１と端子２はＯＦＦとなる。スイッチ（８ｂ）がＯＦＦになると、超小型モ−タ−（６）の回転が止まり、ラッチ・ボルト（１）は所定の位置に停止する。この時、玄関扉は開く。
外部永久磁石（角形或いは円形永久磁石）を円形永久磁石（９ａ）に近づけたり、遠ざけたりすると、ストライク（２）の中にラッチ・ボルト（１）が挿入と抽出を繰り返し、玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線がアルミニウム板を透磁して、円形永久磁石（９ａ）の間に異極間が生じる。異極間に吸引力が働くと、玄関扉は簡単に開けられ家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置を用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧は＋極性と−極性が交互に変化するので（電気磁石の磁極はＮ極とＳ極が交互に変わる）騒音が出やすい。騒音をなくすには、交流電圧を直流電圧に変換して使用すればよい。コイルを巻く関係から、電気磁石を用いると、装置が大きくなり、又停電した時には、蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には、現在市販されている永久磁石を用いた。  図３に示すように、超小形モ−タ−と２段歯車機構及び２個のヒンジ・ロ−ラ・レバ−形スイッチ（８ａと８ｂ）と２個のヒンジ・レバ−形双極双投基本スイッチ（８ｃと８ｄ）を利用しているので、簡単な回路構成で出来る最も安全な盗難防止用鍵の装置。
このような鍵を利用すると、玄関扉の外側には鍵穴がないので、ピッキングやサムタ−ン回しは通用せず、どの様な鍵構造か分からないので、侵入する事が出来ない。
【実施例２】
【００１１】  本発明の２番目の装置の実施の形態・詳細な構造を図４を用いて説明する。
図４に示すように、玄関扉の固定した扉に取り付けたストライク（２）の中へ、ラッチボルト（１）を挿入した時に、玄関扉の鍵が掛かった状態になる。玄関扉を強く引いても、ラッチボルト（１）は強度に十分耐えられる容器（３）で支えた。
ストライク（２）の中へラッチボルト（１）を挿入する状態を述べる。
ラッチボルト（１）の広い面にある長さのラック（４ａ）を止めネジで固定した。ストライク（２）の中からラッチボルト（１）を抽出する時、ラッチボルト（１）の広い面に取り付けてあるラック（４ａ）が往復直線運動をするには、ラック（４ａ）と、噛み合う相手の焼結平歯車（１１）が時計方向あるいは反時計方向に回転すればよい。
このような動作を自動的にするために、図４に示すように、ウォ−ム・ホイ−ル（１０ａ）の上に焼結平歯車（１１）を置き、２段重ねにしてウォ−ム・ホイ−ル（１０ａ）と同じ軸にネジ止めした。図４に示すように、ウォ−ム・ホイ−ル（１０ａ）を回転させるために、超小型モ−タ−（６）の軸にウォ−ム（１０）をネジ止めした。
超小型モ−タ−が回転すると、ウォ−ムも回転して、ウォ−ム・ホイ−ル（１０ａ）と焼結平歯車は同時に回転する。焼結平歯車（１１）が回転する事によって、ラック（４ａ）は往復直線運動をする。
焼結平歯車（１１）を時計方向或いは反時計方向に回転すれば、ラッチボルト（１）が挿入と抽出を繰り返す。この操作を自動的にする方法を詳細に述べる。
超小型モ−タ−に供給する直流電源の電圧（１２）の＋極性と−極性を入れ替える必要がある。ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続した。端子２′と端子３も接続した。直流電圧の＋極性を端子２に接続し、−極性を端子２′に接続した。端子１と端子１′を端子２と端子２′に切り替えると、端子１に直流電圧の＋極性になり、端子１′の直流電圧は−極性になる。端子１と端子１′を端子３と端子３′に切り替えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続する。もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）が下へ下がる方法を次に説明する。
図３ａと図６ａに示すように、円形永久磁石（９ｂ）のヨ−クの下に、ヒンジ・レバ−形双極双投基本スイッチ（８ｃ）と、ヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。この吸引力で円形永久磁石（９ａ）は室外アルミニウム板の表面に近づくと、円形永久磁石（９ｂ）も同じ方向に動く。円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部が挿入してあるため、２個のヒンジ・レバ−は下に下がるとラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。この反発力で、円形永久磁石（９ｂ）と（９ａ）は同じ真鍮の円柱棒に固定してあるので、室外アルミニウム板の表面に近づき同じ動作をする。
ストライク（２）の中へラッチ・ボルト（１）が挿入する動作を詳細に説明する。
玄関扉の室外アルミニウム板の表面に沿って動かす外部永久磁石が円形永久磁石（９ｂ）から離れている時、円形永久磁石（９ｂ）のヨ−クの下に、ヒンジ・レバ−形双極双投基本スイッチ（８ｃ）とヒンジ・レバ−形スイッチ（８ｄ）のヒンジ・レバ−の一部が挿入してあるので、２個のヒンジレバ−は上に上がる。
ヒンジ・レバ−形双極双投基本スイッチ（８ｃ）の端子１と１′は端子２と２′側へ切り替わり、端子１の直流電圧の極性は＋になり、端子１′の極性は−になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そしてヒンジ・ロ−ラ・レバ−形スイッチ（８ａ）の端子１から端子２へ流れ、端子２からヒンジ・レバ−形双極双投基本スイッチ（８ｃ）の端子１′に電流は流れて一巡する。
超小型モ−タ−（６）に電流が流れると回転する。この回転はウォ−ム（１０）作動しウォ−ム・ホイ−ル（１０ａ）を回転する。ウォ−ム・ホイ−ル（１０ａ）の上に置いた焼結平歯車（１１）も同時に回転すると、ラック（４ａ）は往復直線運動をしてストライク（２）の中へラッチ・ボルトが挿入する。ラッチ・ボルト（１）が所定の位置に停止するように、ラッチ・ボルトの終端の側面に傾斜を付けた金属に、ヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。すると超小型モ−タ−（６）の回転が止まり、ラッチ・ボルト（１）は所定の位置に停止する。この時、玄関扉は閉まる。
次に、ストライク（２）の中からラッチ・ボルトを抽出する場合を詳細に説明する。
玄関扉の室外アルミニウム板の表面から、外部磁石（角形或いは円形永久磁石）の磁極面の磁極をＮ極とし、円形永久磁石（９ａ）の磁極面の磁極をＳ極に近づけると、吸引力が働く。この吸引力の作用で、円形永久磁石（９ａ）は玄関扉の室外アルミニウム板の表面に引き寄せられると、円形永久磁石（９ｂ）もヒンジ・レバ−も同じ方向に移動する。
ヒンジ・レバ−形双極双投基本スイッチ（８ｃ）のヒンジ・レバ−は下に下がると、端子１と端子３は短絡し、端子１′と端子３′も短絡して、直流電圧（１２）の＋極性と−極性が入れ変わる。一方、ヒンジ・レバ−形スイッチ（８ｄ）のヒンジ・レバ−も下に下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向の電流が流れと逆回転する。ウォ−ム（１０）も逆方向に作動する。ウォ−ム・ホイル（１０ａ）と２段重ねにしてある焼結平歯車（１１）が回転すると、ラック（４ａ）も往復直線運動をしてラッチ・ボルト（１）が抽出する。抽出する時、ラッチ・ボルト（１）が所定の位置に停止するように、ラッチ・ボルト（１）の終端にヒンジ・ロ−ラ・レバ−形スイッチ（８ｂ）を置いた。ラッチ・ボルト（１）の終端にヒンジ・ロ−ラ・レバ−が接触すると、ヒンジ・ロ−ラ・レバ−が押されてスイッチ（８ｂ）の端子１と端子２はＯＦＦとなる。すると、超小型モ−タ−（６）の回転が止まり、ラッチ・ボルト（１）は所定の位置に停止する。この時玄関扉は開く。
外部永久磁石（角形或いは円形永久磁石）を円形永久磁石（９ａ）に近づけたり、遠ざけたりすると、ストライク（２）の中へ、ラッチ・ボルト（１）が挿入と抽出を繰り返して玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるため、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧の＋極性と−極性が交互に変化するので（電気磁石の磁極はＮ極とＳ極が交互に変わる）騒音が出やすい。騒音をなくすには、交流電圧を直流電圧に変換して使用すればよい。コイルを巻く関係から、電気磁石を用いると、装置が大きくなり、又停電した時には、蓄電池に切り替える装置が不可欠であり、費用もかなり高くなる欠点がある。
現在、市販されている角形或いは円形永久磁石は小型で色々の種類のものがあって、磁力もかなり強い。停電しても心配ないし、価額もかなり安いと言う利点がある。
以上の利点から、安全な盗難防止用鍵の装置には、現在、市販されている永久磁石を用いた。  図４に示すように、超小形モ−タ−とウォ−ムギヤおよび２個のヒンジ・ロ−ラ・レバ−形スイッチ（８ａと８ｂ）と、２個のヒンジ・レバ−形双極双投基本スイッチ（８ｃと８ｄ）を用いた安全な盗難防止用鍵の装置。
このような鍵を利用すると、玄関扉の外側には鍵穴がないので、ピッキングやサムタ−ン回しは通用せず、どの様な鍵構造なのか、わからないので賊は侵入する事は出来ない。
【実施例３】
【００１２】  本発明の３番目の装置の実施の形態・詳細な構造図５を用いて説明する。
図５に示すように、玄関扉の固定した扉に取り付けたストライク（２）の中へラッチボルト（１）を挿入した時に、玄関扉の鍵が掛かった状態になる。玄関扉を強く引いても、ラッチボルト（１）は強度に十分耐えられる容器（３）で支えた。
ストライク（２）の中へラッチボルト（１）を挿入する状態を述べる。
ラッチボルト（１）のの終端に長方形永久磁石（１３）を固定した。図５に示すように、円筒の容器（１５）の内側に、２極セグメント磁石（１４）を２個対称に配置する。円筒の容器（１５）の中心の軸方向に、長方形永久磁石（１３）を挿入した。円筒の容器（１５）が時計方向或いは反時計方向に回転出来るように、歯数の多い焼結平歯車（１６）の平たい面に円筒の容器（１５）をネジで固定した。歯数の多い焼結平歯車（１６）を支える軸受け（１７）を設けた。
歯数の多い焼結平歯車（１６）を回転させるために、ピニオン歯車（５）を超小型モ−タ−（６）の軸に固定した。超小型モ−タ−（６）が回転すると、ピニオン歯車（５）も回転し、連動して歯数の多い焼結平歯車（１６）が回転する。円筒の容器（１５）の中に対称に配置した２極セグメント磁石（１４）を２個同時に回転させる。それは長方形永久磁石（１３）のまわりを２個の２極セグメント磁石（１４）が３６０°回転する事になる。回転角度によって、長方形永久磁石（１３）の磁極面の磁極Ｎ極或いはＳ極と、２個の２極セグメント磁石（１４）の内側の磁極面の磁極Ｎ極或いはＳ極が同極同士又は異極間になる。同極同士又は異極間になると、長方形永久磁石（１３）と２個の２極セグメント磁石（１４）の間で、反発力と吸引力が働く。
ストライク（２）の中から、ラッチボルト（１）が抽出又は挿入する状態を詳細に説明する。
超小型モ−タ−の回転に伴って、歯数の多い焼結平歯車（１６）の広い面に取り付けた円筒の容器（１５）が回転すると、２個の２極セグメント磁石（１４）のうち１個の２極セグメント磁石（１４）の磁極面の磁極がＮ極と、長方形永久磁石（１３）の広い面の磁極面の磁極のＮ極が向かい合い、一方の２極セグメント磁石（１４）の磁極面の磁極がＳ極と、長方形永久磁石（１３）の広い面の磁極面の磁極がＳ極と向かい合うと、同極同士となり反発力が働く。この反発作用で長方形永久磁石（１３）は円筒の容器（１５）から飛び出す。長方形永久磁石（１３）はラッチボルトの終端に固定してあるので、ストライク（１）の中へラッチボルトが挿入する。この時、玄関扉は閉まる。
さらに、円筒の容器（１５）が回転すると、２極セグメント磁石（１４）の磁極面の磁極のＮ極と、長方形永久磁石（１３）の広い面の磁極面のＳ極とが向かい合う。一方、セグメント磁石（１４）の磁極面のＳ極と、長方形永久磁石（１３）の広い面の磁極面の磁極がＮ極とが向かい合うと、異極間には吸引力が働く。この吸引力で長方形永久磁石（１３）は円筒の容器（１５）の中へ吸引される。この吸引力で、ストライク（１）の中から、ラッチボルトを抽出する。この時、玄関扉が開く。
歯数の多い焼結平歯車（１６）の広い面に取り付けた円筒の容器（１５）が時計方向或いは反時計方向に回転すれば、ラッチボルト（１）が挿入と抽出を繰り返す。そのためには超小型モ−タ−に供給する直流電源の電圧（１２）の＋極性と−極性を交互に切り換える必要がある。直流電源の電圧（１２）の＋極性と−極性を交互に切り換える方法を説明する。
ヒンジ・レバ−形双極双投基本スイッチ（８ｃ）を用いて、図７に示す回路系になるように回路接続をした。ヒンジ・レバ−形双極双投基本スイッチ（８ｃ）の端子２と端子３′を接続し、端子２′と端子３を接続した。直流電圧の＋極性を端子２に接続し、−極性を端子２′に接続した。端子１と端子１′を端子２と端子２′に切り換えると、端子１の直流電圧は＋極性になり、端子１′の直流電圧は−極性になる。端子１と端子１′を、端子３と端子３′に切り換えると、端子１の直流電圧は−極性になり、端子１′の直流電圧は＋極性になる。
ヒンジ・レバ−形双極双投基本スイッチ（８ｃ）の端子１から、超小型モ−タ−（６）の一つの端子へ接続し、もう一方の端子をヒンジ・レバ−形スイッチ（８ｄ）の端子１へ接続した。スイッチ（８ｄ）の端子２から、ヒンジ・ロ−ラ・レバ−形スイッチ（８ａ）の端子１へ接続する。スイッチ（８ｄ）の端子３から、ヒンジ・ロ−ラ・レバ−形スイッチ（８ｂ）の端子１へ接続する。スイッチ（８ａ）の端子２と（８ｂ）の端子２を接続し、その接続線をヒンジ・レバ−形双極双投基本スイッチ（８ｃ）の端子１′へ接続する。
ヒンジ・レバ−（８ｃ）が下へ下がれば、スイッチ回路は超小型モ−タ−（６）を逆方向に回転する。ヒンジ・レバ−（８ｄ）も下へ下がれば、スイッチは抽出回路へ接続する。自動的に２個のヒンジ・レバ−（８ｃと８ｄ）が下へ下げる方法を次に説明する。
図３ａと図６ａに示すように、円形永久磁石（９ｂ）のヨ−クの下に、ヒンジ・レバ−形双極双投基本スイッチ（８ｃ）と、ヒンジ・レバ−形スイッチ（８ｄ）のヒンジ・レバ−の一部を挿入する。玄関扉の室外アルミニウム板の表面に沿って動かす外部永久磁石（角形或いは円形永久磁石）を円形永久磁石（９ａ）に近づけると、吸引力が働く。円形永久磁石（９ａ）は室外アルミニウム板の表面に近づくと、円形永久磁石（９ｂ）も同じ方向に動く。円形永久磁石（９ｂ）のヨ−クの下に、ヒンジ・レバ−形双極双投基本スイッチ（８ｃ）とヒンジ・レバ−形スイッチ（８ｄ）のレバ−の一部が挿入してあるので、２個のレバ−は下に下がると、ラッチ・ボルトは抽出する。
玄関扉の室内アルミニウム板の表面に沿って動かす外部永久磁石（角形或いは円形永久磁石）を円形永久磁石（９ｂ）に近づけると、反発力が働く。円形永久磁石（９ｂ）と（９ａ）は同じ真鍮の円柱棒に固定してあるので、この反発力で室外アルミニウム板の表面に近づき同じ動作をする。
ストライク（２）の中へラッチ・ボルト（１）が挿入する動作を詳細に説明する。
玄関扉の室外アルミニウム板の表面に沿って動かす外部永久磁石を円形永久磁石（９ｂ）から離れている時、円形永久磁石（９ｂ）のヨ−クの下に、ヒンジ・レバ−形双極双投基本スイッチ（８ｃ）とヒンジ・レバ−形スイッチ（８ｄ）のレバ−の一部が挿入してあるので、２個のレバ−は上に上がる。
ヒンジ・レバ−形双極双投基本スイッチ（８ｃ）の端子１と１′は端子２と２′側へ切り換わり、端子１の直流電圧の極性は＋になり、端子１′は−極性になる。直流電流は端子１から超小型モ−タ−に流れて、ヒンジ・レバ−形スイッチ（８ｄ）の端子１へ流れる。ヒンジ・レバ−形スイッチ（８ｄ）の端子１から端子２へ電流が流れる。そしてヒンジ・ロ−ラ・レバ−形スイッチ（８ａ）の端子１から端子２へ流れ、端子２からヒンジ・レバ−形双極双投基本スイッチ（８ｃ）の端子１′に流れて一巡する。
超小型モ−タ−（６）に電流が流れると、モ−タ−（６）の軸に取り付けたピニオン歯車（５）も回転する。この回転に伴って、歯数の多い焼結平歯車（１６）の広い面に取り付けた円筒の容器（１５）が回転する。２個の２極セグメント磁石（１４）のうち１個の２極セグメント磁石（１４）の磁極面の磁極がＮ極と長方形永久磁石（１３）の広い面の磁極面の磁極のＮ極とが向かい合い、一方の２極セグメント磁石（１４）の磁極面の磁極がＳ極と、長方形永久磁石（１３）の広い面の磁極面のＳ極とが向かい合うと、同極同士となり反発力が働く。長方形永久磁石（１３）が円筒の容器（１５）の内部に装荷してある２個の２極セグメント磁石から、急速に外方向に向かって動く。長方形永久磁石（１３）はラッチボルト（１）の終端に固定してあるので、ストライク（２）の中へラッチボルト（１）が挿入する。ラッチ・ボルト（１）が所定の位置に停止するように、ラッチ・ボルトの終端に取り付けた金属にヒンジ・ロ−ラ・レバ−形スイッチ（８ａ）のヒンジ・ロ−ラ・レバ−が接触すると、ヒンジ・ロ−ラ・レバ−が下がって、スイッチ（８ａ）の端子１と端子２はＯＦＦとなる。超小型モ−タ−（６）の回転が止まり、ラッチ・ボルト（１）は所定の位置に停止する。この時、玄関扉は閉まる。
次に、ストライク（２）の中からラッチ・ボルトを抽出する場合を詳細に説明する。
玄関扉の室外アルミニウム板の表面から外部磁石（角形或いは円形永久磁石）の磁極面の磁極をＮ極とし、円形永久磁石（９ａ）の磁極面の磁極をＳ極に近づけると、吸引力が働く。吸引力の作用で、円形永久磁石（９ａ）が玄関扉の室外アルミニウム板の表面に引き寄せられると、円形永久磁石（９ｂ）もヒンジ・レバ−も同じ方向に移動する。
ヒンジ・レバ−形双極双投基本スイッチ（８ｃ）のヒンジ・レバ−は下に下がると端子１と端子３は短絡し、端子１′と端子３′も短絡する。そして、直流電圧（１２）の＋極性と−極性が入れ変わる。一方、ヒンジ・レバ−形スイッチ（８ｄ）のヒンジ・レバ−も下に下がる。スイッチ（８ｄ）の端子１と端子３は短絡する。ヒンジ・レバ−形双極双投基本スイッチ（８ｃ）の端子１′は直流電圧（１２）の＋極性となる。直流電流はヒンジ・レバ−形双極双投基本スイッチ（８ｃ）の端子１′からスイッチ（８ｂ）の端子２へ流れ、端子２から端子１へと流れて行く。その直流電流はスイッチ（８ｄ）の端子３から端子１へ流れ、超小型モ−タ−（６）には逆電流が流れ、ヒンジ・レバ−形双極双投基本スイッチ（８ｃ）の端子１に流れて一巡する。
超小型モ−タ−（６）に逆方向に電流が流れると、モ−タ−（６）の軸に取り付けたピニオン歯車（５）も逆回転する。このピニオン歯車（５）の回転に伴って、歯数の多い焼結平歯車（１６）の広い面に取り付けた円筒の容器（１５）が回転すると、２極セグメント磁石（１４）の内側の磁極面のＮ極と、長方形永久磁石（１３）の広い面の磁極面のＳ極と向かい合い、一方の２極セグメント磁石（１４）の内側の磁極面のＳ極と、長方形永久磁石（１３）の広い面の磁極面のＮ極と向かい合うと、異極間には吸引力が働く。図６ｃに示すように、長方形永久磁石（１３）は円筒の容器の中に装荷した２個の２極セグメント磁石の中に吸引する。ラッチボルト（１）の終端に長方形永久磁石（１３）が固定してある。長方形永久磁石（１３）は２個の２極セグメント磁石（１４）の内側に吸引する。この吸引力でストライク（２）の中からラッチボルト（１）が抽出する。
ラッチ・ボルト（１）が所定の位置に停止するように、ラッチ・ボルトの終端に取り付けた金属にヒンジ・ロ−ラ・レバ−形スイッチ（８ａ）のヒンジ・ロ−ラ・レバ−が接触すると、ヒンジ・ロ−ラ・レバ−が押される。スイッチ（８ａ）の端子１と端子２はＯＦＦとなる。超小型モ−タ−（６）の回転が止まり、ラッチ・ボルト（１）は所定の位置に停止する。この時、玄関扉は閉まる。
外部永久磁石（角形或いは円形永久磁石）を円形永久磁石（９ａ）に近づけたり、遠ざけたりすると、ストライク（２）の中でラッチ・ボルト（１）が挿入と抽出を繰り返し、玄関扉が開閉する。
もし、偶然に円形永久磁石（９ａ）の磁極面の磁極がＳ極であることが分かり、配置した場所も分かったとする。玄関扉の室外アルミニウム板の表面に沿って動かす角形又は円形永久磁石の磁極面の磁極をＮ極とする。このＮ極をＳ極に近づけると、磁力線はアルミニウム板を透磁して、円形永久磁石（９ａ）の間に異極間が生じる。異極間に吸引力が働くと、玄関扉は簡単に開けられ、家人が大変困る。
その対策として、開発した盗難防止用鍵の安全性を高めるために、図６ｂに示すように円形永久磁石（９ａ）及び玄関扉の室外アルミニウム板の表面に沿って動かす角形或いは円形磁石も丸形多極或いは角形多極にすれば、暗証番号と同じで、簡単に玄関扉は開かない。
安全な盗難防止用鍵の装置に用いた永久磁石を電気磁石にして用いる事も出来る。その場合、商用周波数５０Ｈｚ  或いは６０Ｈｚで、交流電圧１００Ｖから変圧器で低電圧にして用いる方法がある。交流電圧＋極性と−極性が交互に変化するので（電気磁石の磁極はＮ極とＳ極が交互に変わる）騒音が出やすい。騒音をなくすには、交流電圧を直流電圧に変換して使用しなければならない。コイルを巻く関係から、電気磁石を用いると装置が大きくなり、又停電した時には蓄電池に切り替える装置が不可欠であり、費用もかなり高くなる欠点がある。
現在、市販されている角形或いは円形永久磁石は小型で色々の種類のものがあって磁力もかなり強い。停電しても心配ないし、価額もかなり安いと言う利点がある。
以上の利点から、安全な盗難防止用鍵の装置には現在市販されている永久磁石を用いた。
図５に示すように、超小形モ−タ−と円筒の容器の中に、挿入した２個の２極セグメント磁石および長方形永久磁石そして２個のヒンジ・ロ−ラ・レバ−形スイッチ（８ａと８ｂ）と２個のヒンジ・レバ−形双極双投基本スイッチ（８ｃと８ｄ）を利用しているので、簡単な回路構成で出来る最も安全な盗難防止用鍵の装置。
このような鍵を利用すると、玄関扉の外側には鍵穴がないので、ピッキングやサムタ−ン回しは通用せず、どの様な鍵構造か分からないので侵入する事が出来ない。
【産業上の利用可能性】
【００１３】  本発明は、玄関扉に鍵穴は無く、扉の外側にはハンドルだけがある。３種類の盗難防止用鍵の１個を選択して、玄関扉の室外と室内のアルミニウム板の枠内に装荷する。３種類のうち、２種類は歯車機構と超小型モ−タ−及び永久磁石の磁極数の多い角形多極或いは丸形多極および２個のヒンジ・ロ−ラ・レバ−形スイッチ（８ａと８ｂ）と、２個のヒンジ・レバ−形双極双投基本スイッチ（８ｃと８ｄ）で構成した盗難防止用鍵である。
３番目は円筒の容器の中に２極セグメント磁石を２個対称に配置し、長方形永久磁石と組み合わせた装置と、超小型モ−タ−及び２個のヒンジ・ロ−ラ・レバ−形スイッチ（８ａと８ｂ）と２個のヒンジ・レバ−形双極双投基本スイッチ（８ｃと８ｄ）で構成した盗難防止用鍵を装荷する。
玄関扉のストライクの中からラッチボルトを抽出するには、玄関扉の室外アルミニウム板の表面に沿って角形又は円形永久磁石を動かす。磁力線はアルミニウム板を透磁して、抽出装置（図６ａを参照）の円形永久磁石（９ａ）に吸引力が働く。この吸引力で円形永久磁石（９ａ）が室外アルミニウム板に引き寄せられる。円形永久磁石（９ｂ）のヨ−クの下に、一部挿入してある２個のヒンジ・レバ−形双極双投基本スイッチ（８ｃと８ｄ）のヒンジ・レバ−も同時に作動する。ヒンジ・レバ−（８ｃ）を下に押すと、直流電圧の＋極性と−極性が反転して、超小型モ−タ−が逆回転する。歯車機構も逆方向に作動して、ストライク（２）の中からラッチボルトが抽出して玄関扉が開く。
もし、偶然に玄関扉の室外アルミニウム板の表面に沿って動かす角形永久磁石の磁極面の磁極と、円形永久磁石（９ａ）の磁極面の磁極がわかって合わされると、玄関扉は簡単に開けられたら家人は大変困る。
その対策として、盗難防止用鍵の安全性をさらに高めるためには円形永久磁石（９ａ）の磁極数が多い丸形多極或いは角形多極を用いることを考案した。また、玄関扉の室外アルミニウム板の用面に沿って動かす角形永久磁石の磁極数が丸形多極或いは角形多極を用いて磁極数を合わさないと、玄関扉は閉じたままで開かない。
家人以外はどうして玄関扉を開けたらよいかわからない安全な盗難防止用鍵の装置に関するものである。
【図面の簡単な説明】
【００１４】
【図１】  従来の玄関扉に取り付けた鍵の一例を示す図である。
【図２】  本発明に関する盗難防止用鍵を使用した為に玄関扉に鍵穴がない。
【図３】  本発明の実施の一例を示す構造の全体図である。
【図４】  本発明の実施の一例を示す構造の全体図である。
【図５】  本発明の実施の一例を示す構造の全体図である。
【図６】  本発明に関する構造図である。
【図７】  本発明に関する回路図である。
【符号の説明】
【００１５】  １    ラッチボルト
２    ストライク
３    ラッチボルトを支える容器
４    ラック
４ａ  ラック
５    ピニオン歯車
６    超小型モ−タ−
７    ２段歯車機構
７ａ  結合器
８ａ  ヒンジ・ロ−ラ
・レバ−形スイッチ
８ｂ  ヒンジ・ロ−ラ
・レバ−形スイッチ
８ｃ  ヒンジ・レバ−形
双極双投基本スイッチ
８ｄ  ヒンジ・レバ−形
双極双投基本スイッチ
９ａ  円形永久磁石
９ｂ  円形永久磁石
１０    ウォ−ム
１０ａ  ウォ−ム・ホイ−ル
１１    焼結平歯車
１２    直流電源
１３    長方形永久磁石
１４    セグメント磁石
１５    円筒の容器
１６    歯数の多い焼結平歯車
１７    （１６）を支える軸受け
【図１】
2006052623.tif 000003
【図２】
2006052623.tif 000004
【図３】
2006052623.tif 000005
【図４】
2006052623.tif 000006
【図５】
2006052623.tif 000007
【図６】
2006052623.tif 000008
【図７】
2006052623.tif 000009